(57)【特許請求の範囲】
【請求項１】
表示装置と、少なくとも栽培計画データベース、営農者データベース、病害虫データベース及び防除薬剤データベースを有するサーバと、前記表示装置と前記サーバとの間に接続される専用端末とで構成される情報処理システムであって、
前記専用端末は、前記表示装置に表示された画面上から病害虫予報に関するユーザの入力操作を前記サーバに通知し、
前記サーバは、前記栽培計画データベースに格納された前記ユーザの栽培計画データ、及び前記営農者データベースに格納された前記ユーザの営農者データを取得すると共に、前記栽培計画データ又は前記営農者データに示される栽培作物に関する病害虫の発生予想の地域情報や被害情報を含む病害虫データを第１外部サーバから取得して前記病害虫データベースに格納し、更に前記病害虫に関する防除薬剤データを第２外部サーバより取得して前記防除薬剤データベースに格納し、前記栽培計画データ、前記営農者データ、前記病害虫データ及び前記防除薬剤データを前記専用端末に送信し、
前記専用端末は、前記サーバから少なくとも前記営農者データと前記病害虫データとを受信すると、前記病害虫の発生予報を示す病害虫発生予報画面を生成して前記表示装置に表示し、前記ユーザに提供する情報処理システム。
【請求項２】
前記病害虫発生予報画面に表示される地図画像上には、前記営農者データに示される前記ユーザの営農地域に現在地を示すアイコンが付加される、請求項１に記載の情報処理システム。
【請求項３】
前記病害虫発生予報画面は、前記営農者データに示される前記栽培作物の地図画像に前記病害虫データに示される前記病害虫の発生予想の地域を色付けして表示させる、請求項１に記載の情報処理システム。
【請求項４】
前記病害虫発生予報画面の前記地図画像には、前記病害虫の発生予報レベルが、予報レベル、注意レベル、警報レベルのいずれかを判別可能なように色付けされる、請求項３に記載の情報処理システム。
【請求項５】
前記病害虫発生予報画面の前記地図画像上で指定された地域において発生すると予報されている前記病害虫が、病気又は害虫のどちらであるかを識別可能なアイコンを表示させる、請求項４に記載の情報処理システム。
【請求項６】
前記病害虫発生予報画面の前記地図画像に含まれる各地域に、害虫を示す害虫アイコン又は病気を示す病気アイコンを付加して、前記発生予報を表示させる、請求項５に記載の情報処理システム。
【請求項７】
前記専用端末は、前記ユーザが栽培している全ての前記栽培作物に関する前記病害虫発生予報画面を生成する場合、前記栽培作物毎に予報されている病害虫名を示したテキストを地図画像に表示させる、請求項１に記載の情報処理システム。
【請求項８】
前記専用端末は、前記表示装置に表示された画面上から前記病害虫に対して有効な防除薬剤に関する入力を検出すると、前記防除薬剤データに含まれる有効な防除薬剤の名称、画像、有効成分を示すテキスト、及び使用方法を示すテキストを含む防除薬剤画面を生成して前記表示装置に表示させる、請求項１に記載の情報処理システム。
【請求項９】
前記専用端末は、
前記防除薬剤画面から１つの前記防除薬剤の決済に関する入力を検出すると、当該防除薬剤を購入するための決済画面を生成して前記表示装置に表示させる、請求項８に記載の情報処理システム。
【請求項１０】
表示装置と、少なくとも栽培計画データベース、営農者データベース、病害虫データベース及び防除薬剤データベースを有するサーバと、前記表示装置と前記サーバとの間に接続される専用端末とで構成される情報処理システムに適用される方法であって、
前記専用端末は、前記表示装置に表示された画面上から病害虫予報に関するユーザの入力操作を前記サーバに通知し、
前記サーバは、前記栽培計画データベースに格納された前記ユーザの栽培計画データ、及び前記営農者データベースに格納された前記ユーザの営農者データを取得すると共に、前記栽培計画データ又は前記営農者データに示される栽培作物に関する病害虫の発生予想の地域情報や被害情報を含む病害虫データを第１外部サーバから取得して前記病害虫データベースに格納し、更に前記病害虫に関する防除薬剤データを第２外部サーバより取得して前記防除薬剤データベースに格納し、前記栽培計画データ、前記営農者データ、前記病害虫データ及び前記防除薬剤データを前記専用端末に送信し、
前記専用端末は、前記サーバから少なくとも前記営農者データと前記病害虫データとを受信すると、前記病害虫の発生予報を示す病害虫発生予報画面を生成して前記表示装置に表示し、前記ユーザに提供する方法。
【発明の詳細な説明】
【技術分野】
【０００１】
本発明の実施形態は、情報処理システム及び方法に関する。
【背景技術】
【０００２】
一般的に、農業を経営する者（以下、営農者と表記）は、農作物の栽培に悪影響を与え得る病害虫に関する情報を確認しながら、農作物の栽培を行う。病害虫に関する情報としては、農林水産省から配信される予察情報や、各都道府県防除所から配信される予察注意報情報及び警報情報等がある。
【０００３】
しかしながら、予察情報や予察注意報情報、警報情報は、全ての営農者向けに作成されているため、営農者には、自身が栽培している農作物以外の農作物に関する情報も配信されてしまう。また、予察情報、予察注意報情報及び警報情報からは、予察分類、病害虫名、農作物名及び対策情報等は把握することはできるものの、配信される情報がテキストベースであるので、どのような見た目の病害虫であるか、また、防除薬剤の副作用等といった詳細情報を把握することはできないという不都合がある。
【０００４】
このため、上記した不都合を解消し得る新たな技術の実現が望まれている。
【先行技術文献】
【特許文献】
【０００５】
【特許文献１】特開平１１−２８７８７１号公報
【発明の概要】
【発明が解決しようとする課題】
【０００６】
そこで、本発明が解決しようとする課題は、少なくとも自身が栽培している農作物についてだけ、病害虫に関する情報を詳細まで把握することが可能な情報処理システム及び方法を提供することにある。
【課題を解決するための手段】
【０００７】
実施形態に係る情報処理システムは、表示装置と、少なくとも栽培計画データベース、営農者データベース、病害虫データベース及び防除薬剤データベースを有するサーバと、前記表示装置と前記サーバとの間に接続される専用端末とで構成される。前記専用端末は、前記表示装置に表示された画面上から病害虫予報に関するユーザの入力操作を前記サーバに通知する。前記サーバは、前記栽培計画データベースに格納された前記ユーザの栽培計画データ、及び前記営農者データベースに格納された前記ユーザの営農者データを取得すると共に、前記栽培計画データ又は前記営農者データに示される栽培作物に関する病害虫の発生予想の地域情報や被害情報を含む病害虫データを第１外部サーバから取得して前記病害虫データベースに格納し、更に前記病害虫に関する防除薬剤データを第２外部サーバより取得して前記防除薬剤データベースに格納し、前記栽培計画データ、前記営農者データ、前記病害虫データ及び前記防除薬剤データを前記専用端末に送信する。前記専用端末は、前記サーバから少なくとも前記営農者データと前記病害虫データとを受信すると、前記病害虫の発生予報を示す病害虫発生予報画面を生成して前記表示装置に表示し、前記ユーザに提供する。
【図面の簡単な説明】
【０００８】
【図１】実施形態に係る情報処理システムのネットワーク構成の一例を示す図。
【図２】情報処理システムに備えられる第１のサーバ装置のシステム構成を示す図。
【図３】情報処理システムに備えられるクライアントデバイスのシステム構成を示す図。
【図４】情報処理システムの機能構成を示すブロック図。
【図５】栽培計画ＤＢに格納されている栽培計画データのデータ構造の一例を示す図。
【図６】営農者ＤＢに格納されている営農者データのデータ構造の一例を示す図。
【図７】病害虫詳細ＤＢに格納されている情報のデータ構造の一例を示す図。
【図８】防除薬剤詳細ＤＢに格納されている情報のデータ構造の一例を示す図。
【図９】病害虫ＤＢに格納されている病害虫データのデータ構造の一例を示す図。
【図１０】防除薬剤ＤＢに格納されている防除薬剤データのデータ構造の一例を示す図。
【図１１】情報処理システムの動作の一例を示すフローチャート。
【図１２】ＴＶ装置に表示されるホーム画面の一例を示す図。
【図１３】ＴＶ装置に表示される選択画面の一例を示す図。
【図１４】ＴＶ装置に表示される病害虫発生予報画面の一例を示す図。
【図１５】病害虫発生予報画面の別の一例を示す図。
【図１６】病害虫発生予報画面の更に別の一例を示す図。
【図１７】病害虫発生予報画面の更に別の一例を示す図。
【図１８】ＴＶ装置に表示される病害虫詳細画面の一例を示す図。
【図１９】ＴＶ装置に表示される防除薬剤リスト画面の一例を示す図。
【図２０】防除薬剤リスト画面の別の一例を示す図。
【図２１】ＴＶ装置に表示される防除薬剤詳細画面の一例を示す図。
【図２２】ＴＶ装置に表示される決済画面の一例を示す図。
【発明を実施するための形態】
【０００９】
以下、図面を参照して、実施形態について説明する。  
図１は、一実施形態に係る情報処理システムのネットワーク構成の一例を示す。本実施形態に係る情報処理システムは、例えば農作物を栽培する際に必要な病害虫に関する情報を確認するために、農業を経営する者（営農者）によって利用される。以下の説明では、情報処理システムを利用する営農者を便宜的にユーザと称する。
【００１０】
図１に示すように、情報処理システムは、第１のサーバ装置１０及びクライアントデバイス２０を備える。
【００１１】
第１のサーバ装置１０は、クライアントデバイス２０と例えばインターネット３０を介して通信可能に接続される電子機器である。第１のサーバ装置１０は、ユーザが栽培している農作物に関する各種データを管理する機能を有する。第１のサーバ装置１０は、クライアントデバイス２０以外の外部のサーバ装置等と通信可能に接続されていても構わない。
【００１２】
クライアントデバイス２０は、ユーザの例えば自宅に設置されているＴＶ装置４０と接続可能な電子機器（専用端末）である。クライアントデバイス２０は、例えばＴＶ装置４０のＨＤＭＩ（登録商標）（High-Definition Multimedia Interface）入力端子に、ＨＤＭＩケーブルを介して取り外し可能に接続される。クライアントデバイス２０は、例えば無線ＬＡＮ、Ｂｌｕｅｔｏｏｔｈ（登録商標）及びＷｉｆｉ（登録商標）等の無線通信機能によりＴＶ装置４０と接続される構成であってもよい。
【００１３】
本実施形態において、ＴＶ装置４０は、情報処理システムの外部ディスプレイとして使用される表示装置である。情報処理システムは、図示しないリモートコントローラから受信される操作信号に基づいて病害虫に関する各種画面をＴＶ装置４０に表示することができる。
【００１４】
図２は、図１に示す情報処理システムに備えられる第１のサーバ装置１０のシステム構成を示す。図２に示すように、第１のサーバ装置１０は、ＣＰＵ１１、不揮発性メモリ１２、主メモリ１３、ＢＩＯＳ−ＲＯＭ１４、システムコントローラ１５、無線通信デバイス１６及びＥＣ１７等を備える。
【００１５】
ＣＰＵ１１は、第１のサーバ装置１０内の各コンポーネントの動作を制御するプロセッサである。プロセッサは、少なくとも１つの処理回路を含む。ＣＰＵ１１は、ストレージデバイスである不揮発性メモリ１２から主メモリ１３にロードされる様々なプログラム（ソフトウェア）を実行する。このプログラムには、オペレーティングシステム（ＯＳ）及びクライアントデバイス２０と連携して病害虫に関する各種データを表示するためのプログラム（以下、サーバ用プログラムと表記）等が含まれる。
【００１６】
ＣＰＵ１１は、ＢＩＯＳ−ＲＯＭ１４に格納されている基本入出力システム（ＢＩＯＳ）も実行する。ＢＩＯＳは、ハードウェア制御のためのプログラムである。
【００１７】
システムコントローラ１５は、ＣＰＵ１１のローカルバスと各コンポーネントとの間を接続するデバイスである。システムコントローラ１５には、主メモリ１３をアクセス制御するメモリコントローラも内蔵されている。
【００１８】
無線通信デバイス１６は、クライアントデバイス２０及び外部のサーバ装置（例えば、後述する第２のサーバ装置や第３のサーバ装置）等と無線通信を実行するように構成されたデバイスである。
【００１９】
ＥＣ１７は、第１のサーバ装置１０の電力管理を実行するように構成されたエンベデッドコントローラを含むワンチップマイクロコンピュータである。
【００２０】
図３は、図１に示す情報処理システムに備えられるクライアントデバイス２０のシステム構成を示す。図３に示すように、クライアントデバイス２０は、ＣＰＵ２１、不揮発性メモリ２２、主メモリ２３、ＢＩＯＳ−ＲＯＭ２４、システムコントローラ２５、グラフィックスコントローラ２６、ＨＤＭＩ制御回路２７、無線通信デバイス２８及びＥＣ２９等を備える。
【００２１】
ＣＰＵ２１は、クライアントデバイス２０内の各コンポーネントの動作を制御するプロセッサである。プロセッサは、少なくとも１つの処理回路を含む。ＣＰＵ２１は、ストレージデバイスである不揮発性メモリ２２から主メモリ２３にロードされるプログラムを実行する。このプログラムには、オペレーティングシステム及び第１のサーバ装置１０と連携して病害虫に関する各種データを表示するためのプログラム（以下、クライアント用プログラムと表記）等が含まれる。ＣＰＵ２１は、ＢＩＯＳ−ＲＯＭ２４に格納されているＢＩＯＳも実行する。
【００２２】
システムコントローラ２５は、ＣＰＵ２１のローカルバスと各コンポーネントとの間を接続するデバイスである。システムコントローラ２５には、主メモリ２３をアクセス制御するメモリコントローラも内蔵されている。
【００２３】
グラフィクスコントローラ２６は、ＨＤＭＩ制御回路２７及びＨＤＭＩ端子（図示せず）を介して、外部ディスプレイとしてのＴＶ装置４０にデジタル映像信号を送出する。この場合、サウンドコントローラ（図示せず）がＨＤＭＩ制御回路２７（及びＨＤＭＩ端子）を介してＴＶ装置４０にデジタルオーディオ信号を送出してもよい。
【００２４】
ＨＤＭＩ制御回路２７は、ＴＶ装置４０を含む外部映像機器にデジタル映像信号及びデジタルオーディオ信号をＨＤＭＩ端子を介して送出するためのインタフェースである。ＨＤＭＩ端子によれば、非圧縮のデジタル映像信号とデジタルオーディオ信号とを１本のケーブルでＴＶ装置４０に送出することができる。
【００２５】
無線通信デバイス２８は、第１のサーバ装置１０と無線通信を実行するように構成されたデバイスである。
【００２６】
ＥＣ２９は、クライアントデバイス２０の電力管理を実行するように構成されたエンベデッドコントローラを含むワンチップマイクロコンピュータである。
【００２７】
図３においては省略されているが、クライアントデバイス２０は、リモートコントローラのような外部電子機器からの操作信号を受信するための受信部として機能するインタフェースを備える。このインタフェースは、例えば赤外線受信部であってもよいし、Ｂｌｕｅｔｏｏｔｈ規格に基づく無線通信を実行するデバイスであってもよい。
【００２８】
図４は、情報処理システムの機能構成を示すブロック図である。図４に示すように、第１のサーバ装置１０は、通信処理部１０１、ＤＢ管理部１０２、栽培計画データベース（ＤＢ）１０３、営農者データベース（ＤＢ）１０４、病害虫詳細データベース（ＤＢ）１０５及び防除薬剤詳細データベース（ＤＢ）１０６等を備えている。
【００２９】
本実施形態において、通信処理部１０１及びＤＢ管理部１０２の一部または全ては、上記したＣＰＵ１１にサーバ用プログラムを実行させること、すなわちソフトウェアによって実現されてもよいし、ＩＣ（Integrated Circuit）等のハードウェアによって実現されてもよいし、当該ソフトウェア及びハードウェアの組み合わせ構成として実現されてもよい。
【００３０】
また、本実施形態において、栽培計画ＤＢ１０３、営農者ＤＢ１０４、病害虫詳細ＤＢ１０５及び防除薬剤詳細ＤＢ１０６は、不揮発性メモリ１２に格納されているものとする。
【００３１】
情報処理システムを利用するユーザは、上記した病害虫に関する各種データを確認したい場合、リモートコントローラに対する操作を行うことによって、クライアントデバイス２０に対して当該病害虫に関する各種データの表示を指示することができる。この場合、クライアントデバイス２０は、リモートコントローラからの操作信号に対応する指示内容を第１のサーバ装置１０に対して送信する。
【００３２】
通信処理部１０１は、クライアントデバイス２０、第２のサーバ装置５０及び第３のサーバ装置６０、更には図示しない外部サーバ装置との無線通信を実行する機能部である。通信処理部１０１は、クライアントデバイス２０によって送信された指示内容を受信する。
【００３３】
ＤＢ管理部１０２は、栽培計画ＤＢ１０３、営農者ＤＢ１０４、病害虫詳細ＤＢ１０５及び防除薬剤詳細ＤＢ１０６に格納される各種データを管理するための機能部である。  
ＤＢ管理部１０２は、通信処理部１０１によって受信された指示内容に基づいて、第１のサーバ装置１０内の栽培計画ＤＢ１０３及び営農者ＤＢ１０４や、第２のサーバ装置５０及び第３のサーバ装置６０内の各種ＤＢ、更には図示しない外部サーバ装置等から必要なデータを取得する。また、ＤＢ管理部１０２は、第２のサーバ装置５０及び第３のサーバ装置６０、更には図示しない外部サーバ装置等から取得した各種データに基づいて、病害虫の詳細に関する情報や防除薬剤の詳細に関する情報を生成し、これらを病害虫詳細ＤＢ１０５及び防除薬剤詳細ＤＢ１０６に格納（記録）する。ＤＢ管理部１０２によって取得及び生成されたデータは、通信処理部１０１を介してクライアントデバイス２０に対して送信される。
【００３４】
栽培計画ＤＢ１０３には、農作物を栽培する際に必要な作業が設定された栽培計画を示す栽培計画データが格納される。営農者ＤＢ１０４には、営農者が農作物を栽培している地域を示す営農地域を含む営農者データが格納される。病害虫詳細ＤＢ１０５には、農作物の栽培に悪影響を与え得る病害虫の詳細に関する情報が格納される。防除薬剤詳細ＤＢ１０６には、農作物の栽培に悪影響を与え得る病害虫に有効な防除薬剤の詳細に関する情報が格納される。
【００３５】
ここで、図５〜図８をそれぞれ参照して、第１のサーバ装置１０に含まれる各ＤＢ１０３〜１０６に格納されるデータについて説明する。  
図５は、栽培計画ＤＢ１０３に格納される栽培計画データのデータ構造の一例を示す。図５に示すように、栽培計画データは、栽培する農作物毎に、栽培計画において設定された各作業の作業内容及び作業時期を対応付けて含む。農作物名は、栽培する農作物の名称を示す。作業内容は、農作物を栽培する際に必要な作業の内容を示す。作業時期は、対応付けられている作業内容の作業を実施すべき時期（日付）を示す。
【００３６】
図５に示す栽培計画データによれば、農作物Ｘの栽培計画において、例えば播種の作業を４月１０日〜４月２０日に実施すべきことが示されている。栽培計画データにおいては、定植、農薬散布（１回目）、収穫初め、追肥（１回目）、農薬散布（２回目）、追肥（２回目）、農薬散布（３回目）及び追肥（３回目）の各作業についても同様に作業時期が示されている。
【００３７】
栽培計画データによって示される栽培計画は、リモートコントローラを操作することによって、ユーザが例えばＴＶ装置４０の画面上で作成することができる。このようにＴＶ装置４０の画面上で栽培計画が作成された場合、当該栽培計画を示す栽培計画データ（各作業が設定された栽培計画データ）は、クライアントデバイス２０から第１のサーバ装置１０に送信され、当該第１のサーバ装置１０に含まれる栽培計画ＤＢ１０３に格納（登録）される。ユーザは、一旦登録された栽培計画（データ）をＴＶ装置４０の画面上で修正（変更）することも可能である。
【００３８】
図６は、営農者ＤＢ１０４に格納される営農者データのデータ構造の一例を示す。図６に示すように、営農者データは、営農者名、営農地域、地図データ及び栽培作物名を対応付けて含む。営農者名は、営農者の名前（氏名）を示す。営農地域は、対応付けられた営農者名により示される営農者が農作物を栽培している地域を示す。地図データは、対応付けられた営農地域を含む都道府県（地域）の地図画像を示す。栽培作物名は、対応付けられた営農者が栽培している農作物の名称を示す。
【００３９】
例えば図６に示す営農者データによれば、Ａ氏が○○県地図画像により示される○○県○○○市にて農作物Ｘを栽培していることが示されている。
【００４０】
なお、営農者データは、クライアントデバイス２０が購入されて、初めてクライアントデバイス２０が起動されたときに、ユーザがリモートコントローラを操作することによってＴＶ装置４０の画面上で設定される。
【００４１】
図７は、病害虫詳細ＤＢ１０５に格納される情報のデータ構造の一例を示す。図７に示すように、病害虫の詳細に関する情報は、病害虫名、対象作物名、病害虫画像データ、病害虫概要テキストデータ、防除対策テキストデータ、発生地域、予察種別、予察分類及び病害虫詳細データを対応付けて含む。なお、病害虫の詳細に関する情報に含まれる各種データのうち、病害虫詳細データを除いた各種データについては、後述する病害虫ＤＢ５０２に格納される病害虫データに含まれる各種データと同様であるので、ここではその詳しい説明を省略する。病害虫詳細データは、主に、図示しない外部サーバ装置等から取得されるデータであり、病害虫概要テキストデータにより示される病害虫の概要よりも当該病害虫について詳しく説明された病害虫詳細テキストデータや、病害虫画像データとは異なる様々な角度から撮影された当該病害虫の画像を示す病害虫詳細画像データ等を含むデータである。
【００４２】
図８は、防除薬剤詳細ＤＢ１０６に格納される情報のデータ構造の一例を示す。図８に示すように、防除薬剤の詳細に関する情報は、防除薬剤名、対象病害虫名、防除薬剤画像データ、有効成分テキストデータ、使用方法テキストデータ及び防除薬剤詳細データを対応付けて含む。なお、防除薬剤の詳細に関する情報に含まれる各種データのうち、防除薬剤詳細データを除いた各種データについては、後述する防除薬剤ＤＢ６０２に格納される防除薬剤データに含まれる各種データと同様であるので、ここではその詳しい説明を省略する。防除薬剤詳細データは、主に、図示しない外部サーバ装置等から取得されるデータであり、使用方法テキストデータにより示される防除薬剤の使用方法よりも当該使用方法について詳しく説明された使用方法詳細テキストデータ等を含むデータである。
【００４３】
再び図４の説明に戻る。図４に示すように、クライアントデバイス２０は、通信処理部２０１、表示処理部２０２及び操作受付部２０３等を備えている。
【００４４】
本実施形態において、通信処理部２０１、表示処理部２０２及び操作受付部２０３の一部または全ては、上記したＣＰＵ２１にクライアント用プログラムを実行させること、すなわちソフトウェアによって実現されてもよいし、ＩＣ等のハードウェアによって実現されてもよいし、当該ソフトウェア及びハードウェアの組み合わせ構成として実現されてもよい。
【００４５】
通信処理部２０１は、第１のサーバ装置１０からクライアントデバイス２０に対して送信されたデータを受信する。
【００４６】
表示処理部２０２は、クライアントデバイス２０内部に予め用意されている表示画面データ、通信処理部２０１によって受信されたデータに基づいて、各種表示画面を生成する。表示処理部２０２は、生成された表示画面をＴＶ装置４０に表示する。
【００４７】
操作受付部２０３は、ユーザによるリモートコントローラに対する操作を受け付けるための機能部である。操作受付部２０３は、リモートコントローラに対するユーザの操作に応じて、当該操作（信号）に対応する指示（内容）を受け付ける。操作受付部２０３によって受け付けられた指示は、通信処理部２０１を介して第１のサーバ装置１０に対して送信される。或いは、操作受付部２０３によって受け付けられた指示は、表示処理部２０２に対して送信される。
【００４８】
また、図４に示すように、第２のサーバ装置５０は、通信処理部５０１及び病害虫データベース（ＤＢ）５０２等を備えている。
【００４９】
本実施形態において、通信処理部５０１は、第２のサーバ装置５０に含まれる図示しないＣＰＵに第２のサーバ装置５０用のプログラムを実行させること、すなわちソフトウェアによって実現されてもよいし、ＩＣ等のハードウェアによって実現されてもよいし、当該ソフトウェア及びハードウェアの組み合わせ構成として実現されてもよい。
【００５０】
通信処理部５０１は、第１のサーバ装置１０を介してクライアントデバイス２０から受けた指示にしたがって、病害虫ＤＢ５０２に格納されるデータを送信する。
【００５１】
病害虫ＤＢ５０２には、農作物の栽培に悪影響を与え得る病害虫に関する病害虫データが格納される。  
ここで、図９を参照して、第２のサーバ装置５０に含まれる病害虫ＤＢ５０２に格納されるデータについて説明する。  
図９は、病害虫ＤＢ５０２に格納される病害虫データのデータ構造の一例を示す。病害虫データは、病害虫名、対象作物名、病害虫画像データ、病害虫概要テキストデータ、防除対策テキストデータ、発生地域、予察種別及び予察分類を対応付けて含む。病害虫名は、農作物の栽培に悪影響を与え得る病害虫の名称を示す。対象作物名は、対応付けられた病害虫名により示される病害虫によって悪影響が与えられる農作物の名称を示す。病害虫画像データは、対応付けられた病害虫名により示される病害虫の（見た目を示す）画像を示す。病害虫概要テキストデータは、対応付けられた病害虫名により示される病害虫による被害の様子を説明したテキストを示す。防除対策テキストデータは、対応付けられた病害虫名により示される病害虫への防除対策を説明したテキストを示す。発生地域は、対応付けられた病害虫名により示される病害虫が発生すると予想される地域を示す。予察種別は、対応付けられた病害虫名により示される病害虫によってどの程度の被害が予想されるか（警戒レベル）を示す。予察分類は、対応付けられた病害虫名により示される病害虫が病気であるか或いは害虫であるかを示す。
【００５２】
なお、第２のサーバ装置５０は、農林水産省や各都道府県の防除所等によって管理される外部サーバ装置である。
【００５３】
再び図４の説明に戻る。図４に示すように、第３のサーバ装置６０は、通信処理部６０１及び防除薬剤データベース（ＤＢ）６０２等を備えている。
【００５４】
本実施形態において、通信処理部６０１は、第３のサーバ装置６０に含まれる図示しないＣＰＵに第３のサーバ装置６０用のプログラムを実行させること、すなわちソフトウェアによって実現されてもよいし、ＩＣ等のハードウェアによって実現されてもよいし、当該ソフトウェア及びハードウェアの組み合わせ構成として実現されてもよい。
【００５５】
通信処理部６０１は、第１のサーバ装置１０を介してクライアントデバイス２０から受けた指示にしたがって、防除薬剤ＤＢ６０２に格納されるデータを送信する。
【００５６】
防除薬剤ＤＢ６０２には、農作物の栽培に悪影響を与え得る病害虫に有効な防除薬剤に関する防除薬剤データが格納される。  
ここで、図１０を参照して、第３のサーバ装置６０に含まれる防除薬剤ＤＢ６０２に格納されるデータについて説明する。  
図１０は、防除薬剤ＤＢ６０２に格納される薬剤データのデータ構造の一例を示す。防除薬剤データは、防除薬剤名、対象病害虫名、防除薬剤画像データ、有効成分テキストデータ及び使用方法テキストデータを対応付けて含む。防除薬剤名は、防除薬剤の名称を示す。対象病害虫名は、対応付けられた防除薬剤名により示される防除薬剤が有効な病害虫の名称を示す。防除薬剤画像データは、対応付けられた防除薬剤名により示される防除薬剤の（見た目を示す）画像を示す。有効成分テキストデータは、対応付けられた防除薬剤名により示される防除薬剤の有効成分を説明したテキストを示す。使用方法テキストデータは、対応付けられた防除薬剤名により示される防除薬剤の使用方法を説明したテキストを示す。
【００５７】
なお、第３のサーバ装置６０は、農業管理組合等によって管理される外部サーバ装置である。
【００５８】
次に、図１１のフローチャート及び図１２〜図２２の画面例を参照して、以上のように構成された情報処理システムの動作の一例について説明する。但し、ここでは、各種ＤＢ１０３〜１０６，５０２，６０２には、図５〜図１０にそれぞれ示した各種データがそれぞれ格納される又は格納されているものとする。更に、ここでは、ユーザ（営農者）が１種類の農作物に関し、１種類の品種だけを栽培している場合を想定する。
【００５９】
まず、クライアントデバイス２０が起動されると、ＴＶ装置４０には、図１２に示すホーム画面が表示される（ブロックＢ１）。このホーム画面には、例えばクライアントデバイス２０を起動した当日の天気の実績データ（日付、時間帯別の天気及び気温等）と共に、それぞれ異なる番号が割り当てられた複数の項目（ボタン）が表示される。ユーザは、リモートコントローラに設けられている所望の番号のボタンを押下する操作を行うことによって、当該番号が割り当てられた項目に対応する指示をクライアントデバイス２０に対してすることができる。以下では、上記した複数の項目のうち「病害虫」の項目に対応する番号（ここでは、「３」）のボタンがユーザによって押下された場合の動作について説明する。
【００６０】
続いて、クライアントデバイス２０内の操作受付部２０３は、「病害虫」の項目に対応する番号のボタンがユーザによって押下されたことを検出すると、図１３に示す選択画面を生成して、ＴＶ装置４０に表示させるよう表示処理部２０２に指示する。表示処理部２０２は、操作受付部２０３からの指示にしたがって、上述した表示画面データに基づいて、上記した選択画面を生成し、これをＴＶ装置４０に表示させる（ブロックＢ２）。この選択画面には、例えば病害虫の詳細を検索するための項目（図１３中の「検索」の項目に相当）や、病害虫の発生予報を閲覧するための項目（図１３中の「病害虫予報」の項目に相当）が表示される。以下では、「病害虫予報」の項目に対応する番号（ここでは、「２」）のボタンがユーザによって押下された場合の動作について説明する。
【００６１】
次に、クライアントデバイス２０内の操作受付部２０３は、「病害虫予報」の項目に対応する番号のボタンがユーザによって押下されたことを検出すると、通信処理部２０１を介して、「病害虫予報」の項目がユーザによって指定されたことを第１のサーバ装置１０に通知する（ブロックＢ３）。
【００６２】
続いて、第１のサーバ装置１０内のＤＢ管理部１０２は、通信処理部１０１を介して、クライアントデバイス２０からの「病害虫予報」の項目がユーザによって指定されたことを示す通知を受けると、当該通知にしたがって、栽培計画ＤＢ１０３に格納された栽培計画データと、営農者ＤＢ１０４に格納された営農者データとをそれぞれ取得する（ブロックＢ４）。また、ＤＢ管理部１０２は、取得された営農者データにより示される栽培作物（或いは、取得された栽培計画データにより示される栽培作物）に関する病害虫データを、第２のサーバ装置５０内の病害虫ＤＢ５０２から取得し、更には、当該栽培作物に関する病害虫詳細データを図示しない外部サーバ装置等から取得し、取得した各種データに基づいて病害虫の詳細に関する情報、すなわち、病害虫詳細ＤＢ１０５に格納する情報を生成する処理を実行する（ブロックＢ５）。更に、ＤＢ管理部１０２は、取得された病害虫データにより示される病害虫に関する防除薬剤データを、第３のサーバ装置６０内の防除薬剤ＤＢ６０２から取得し、更には、当該防除薬剤に関する防除薬剤詳細データを図示しない外部サーバ装置等から取得し、取得した各種データに基づいて防除薬剤の詳細に関する情報、すなわち、防除薬剤詳細ＤＢ１０６に格納する情報を生成する処理を実行する（ブロックＢ６）。なお、取得された各種データは、第１のサーバ装置１０内の図示しないメモリ等に適宜記録されてもよい。
【００６３】
ＤＢ管理部１０２は、通信処理部１０１を介して、ブロックＢ４〜Ｂ６の処理により取得及び生成した各種データをクライアントデバイス２０に対して送信する（ブロックＢ７）。
【００６４】
次に、クライアントデバイス２０内の表示処理部２０２は、通信処理部２０１を介して、第１のサーバ装置１０によって取得及び生成された栽培計画データ、営農者データ、病害虫の詳細に関する情報及び防除薬剤の詳細に関する情報を受信すると、当該営農者データ及び当該病害虫の詳細に関する情報に基づいて、病害虫の発生予報を示す画面（以下、病害虫発生予報画面と表記）を生成し、これをＴＶ装置４０に表示させる（ブロックＢ８）。なお、受信された各種データは、クライアントデバイス２０内の図示しないメモリ等に適宜記録されてもよい。
【００６５】
具体的には、表示処理部２０２は、営農者データにより示される地図画像を描画し、当該地図画像上に、営農者データにより示されるユーザの営農地域（現在地）に現在地を示すアイコンを付加する。後述する図１４では、地図画像上の○○○市内に現在地を示すアイコンＩ１が付加されている場合を示す。更に、表示処理部２０２は、上記した地図画像のうち、病害虫の詳細に関する情報により示される病害虫名の病害虫が発生すると予報されている地域を、当該病害虫が発生しないと思われる地域と判別可能なように色付けする。このとき、表示処理部２０２は、病害虫の詳細に関する情報により示される予察種別にしたがって、上記した病害虫が発生すると予報されている地域毎に、病害虫の発生予報レベルが予報レベル、注意報レベル或いは警報レベルのいずれであるかを判別可能なように色付けする（例えば、予報レベルの地域を青色、注意報レベルの地域を黄色、警報レベルの地域を赤色にする等）。なお、病害虫発生予報画面がＴＶ装置４０に少なくとも一度表示された後の処理ではあるが、表示処理部２０２は、病害虫の詳細に関する情報により示される予察分類にしたがって、リモートコントローラに備え付けられたキーがユーザによって操作されることによりカーソルが合わせられている地域において発生すると予報されている病害虫が病気或いは害虫のどちらであるかを判別可能なアイコンを付加する。後述する図１４では、害虫を示すアイコンＩ２が付加されている場合を示す。以上の処理により、例えば図１４に示す病害虫発生予報画面が生成され、ＴＶ装置４０に表示される。
【００６６】
図１４に示す病害虫発生予報画面によれば、ユーザは、農作物Ｘに関し、○○県のうち、自身が農作物Ｘを栽培している○○○市に害虫に分類される病害虫Ａが注意報レベルで発生すると予報されていることを簡単に把握することができる。また、ユーザは、農作物Ｘに関し、○○県のうち、○○○市以外のＡ地域〜Ｄ地域にも病害虫が発生してしまっていることを簡単に把握することができる。なお、ユーザは、図１４に示す病害虫発生予報画面上で、リモートコントローラに備え付けられたキーを操作することにより、例えば図１５に示すように、現在カーソルが合わせられている地域（例えば、○○○市）以外の地域（例えば、Ａ地域〜Ｄ地域）において、農作物Ｘに悪影響を与え得るどんな病害虫が発生すると予報されているかを把握することもできる。図１５に示す病害虫発生予報画面によれば、ユーザは、農作物Ｘに関し、○○県のうちのＡ地域に害虫に分類される病害虫Ａが注意報レベルで、病気に分類される病害虫Ｃが予報レベルで発生すると予報されていることを簡単に把握することができる。
【００６７】
なお、本動作例では、ユーザが１種類の農作物に関し、１種類の品種だけを栽培している場合を想定しているが、例えばユーザが１種類の農作物について、複数種類の品種を栽培している場合、図１４に示す病害虫発生予報画面上の品種選択の項目に対応する番号（ここでは、「０」）のボタンがユーザによって押下されることで、表示処理部２０２は、品種を選択可能な画面をＴＶ装置４０に表示させ、当該画面において所定の品種がユーザの操作により選択されることで、当該所定の品種に関する病害虫発生予報画面をＴＶ装置４０に表示させることもできる。
【００６８】
同様に、ユーザが複数種類の農作物を栽培している場合、図１４では図示していない農作物選択の項目に対応する番号のボタンがユーザによって押下されることで、表示処理部２０２は、農作物の種類を選択可能な画面をＴＶ装置４０に表示させ、当該画面において所定の農作物がユーザの操作により選択されることで、当該所定の農作物に関する病害虫発生予報画面をＴＶ装置４０に表示させることもできる。
【００６９】
更に、ユーザが複数種類の農作物を栽培している場合、自身が栽培する全ての農作物に関する病害虫発生予報画面をＴＶ装置４０に表示させたいという要望が考えられる。このため、図１４では図示していない一括選択の項目に対応する番号のボタンがユーザによって押下されることで、表示処理部２０２は、ユーザが栽培している全ての農作物に関する病害虫発生予報画面をＴＶ装置４０に表示させてもよい。この場合、病害虫発生予報画面が煩雑になるのを緩和するために、例えば図１６に示すように、ユーザが栽培している農作物毎に、発生すると予報されている病害虫名を示したリストＬ１を地図画像と共に表示させてもよい。
【００７０】
また、上述ではユーザが栽培している農作物に関する病害虫発生予報画面をＴＶ装置４０に表示させる場合（いわゆる、個別予察）について説明したが、ユーザが栽培している農作物に関する病害虫の詳細に関する情報だけでなく、病害虫ＤＢ５０２に格納されている全ての病害虫データを第１のサーバ装置１０に取得させて、これら病害虫データに基づき病害虫の詳細に関する情報を第１のサーバ装置１０に生成させておくことで、例えば図１７に示すように、ユーザが栽培している農作物以外の農作物についても病害虫の発生予報を示す病害虫発生予報画面（いわゆる、全体予察）をＴＶ装置４０に表示させることができる。この場合、図１６に示す場合と同様に、病害虫発生予報画面が煩雑になるのを緩和するために、例えば図１７に示すように、農作物毎に、発生すると予報されている病害虫名を示したリストＬ２を地図画像と共に表示させてもよい。図１７に示す病害虫発生予報画面によれば、ユーザは、自身の営農地域を含む○○県において、種々様々な農作物に関し、発生すると予報されている病害虫を簡単に把握することができる。
【００７１】
以下では、図１４に示す病害虫発生予報画面上で、病害虫Ａの項目に対応する番号（ここでは、「１」）のボタンがユーザによって押下された場合の動作について説明する。
【００７２】
再び図１１の説明に戻る。クライアントデバイス２０内の操作受付部２０３は、図１４に示す病害虫発生予報画面上で、病害虫Ａの項目に対応する番号のボタンがユーザによって押下されたことを検出すると、表示処理部２０２に対して、病害虫Ａの詳細を示す画面（以下、病害虫詳細画面と表記）を生成するよう指示する。表示処理部２０２は、操作受付部２０３からの指示にしたがって、上記したブロックＢ８の処理において受信された病害虫の詳細に関する情報に基づいて、病害虫詳細画面を生成し、これをＴＶ装置４０に表示させる（ブロックＢ９）。
【００７３】
具体的には、表示処理部２０２は、病害虫の詳細に関する情報により示される病害虫Ａの画像と、病害虫の詳細に関する情報により示される病害虫Ａの概要（病害虫Ａによる被害の様子）を示すテキストと、病害虫Ａに対する防除対策を示すテキストとを含む病害虫詳細画面を生成する。これにより、例えば図１８に示す病害虫詳細画面が生成され、ＴＶ装置４０に表示される。なお、図１８では、病害虫Ａの画像と、病害虫Ａの概要を示すテキストと、病害虫Ａに対する防除対策を示すテキストとが病害虫詳細画面に含まれている場合を例示したが、この病害虫詳細画面には、病害虫Ａ詳細データにより示される病害虫Ａの生態を詳細に示すテキストや画像が更に含まれていてもよい。
【００７４】
図１８に示す病害虫詳細画面によれば、ユーザは、病害虫Ａの見た目と、病害虫Ａが発生したことにより生じる悪影響と、病害虫Ａに対する防除対策とを簡単に把握することができる。以下では、図１８に示す病害虫詳細画面上で、防除薬剤リストの項目に対応する番号（ここでは、「０」）のボタンがユーザによって押下された場合の動作について説明する。
【００７５】
続いて、クライアントデバイス２０内の操作受付部２０３は、図１８に示す病害虫詳細画面上で、防除薬剤リストの項目に対応する番号のボタンがユーザによって押下されたことを検出すると、表示処理部２０２に対して、病害虫Ａに対して有効な防除薬剤のリストを示す画面（以下、防除薬剤リスト画面と表記）を生成するよう指示する。表示処理部２０２は、操作受付部２０３からの指示にしたがって、上記したブロックＢ８の処理において受信された病害虫の詳細に関する情報及び防除薬剤の詳細に関する情報に基づいて、防除薬剤リスト画面を生成し、これをＴＶ装置４０に表示させる（ブロックＢ１０）。
【００７６】
具体的には、表示処理部２０２は、病害虫の詳細に関する情報により示される病害虫Ａの概要を示すテキストと、防除薬剤の詳細に関する情報により示される病害虫Ａに対して有効な防除薬剤名と、防除薬剤の詳細に関する情報により示される病害虫Ａに対して有効な防除薬剤の画像とを含む防除薬剤リスト画面を生成する。これにより、例えば図１９に示す防除薬剤リスト画面が生成され、ＴＶ装置４０に表示される。
【００７７】
図１９に示す防除薬剤リスト画面によれば、ユーザは、病害虫Ａが発生したことにより生じる悪影響と、当該悪影響を与え得る病害虫Ａに対して有効な防除薬剤の名称及び見た目を簡単に把握することができる。なお、ユーザは、図１９に示す防除薬剤リスト画面上で、リモートコントローラに備え付けられたキーを操作することにより、例えば図２０に示すように、１画面には収まりきらなかった防除薬剤の名称と当該防除薬剤の画像とをＴＶ装置４０に表示させることもできる。以下では、図１９に示す防除薬剤リスト画面上で、防除薬剤Ａの項目に対応する番号（ここでは、「１」）のボタンがユーザによって押下された場合の動作について説明する。
【００７８】
次に、クライアントデバイス２０内の操作受付部２０３は、図１９に示す防除薬剤リスト画面上で、防除薬剤Ａの項目に対応する番号のボタンがユーザによって押下されたことを検出すると、表示処理部２０２に対して、防除薬剤Ａの詳細を示す画面（以下、薬剤詳細画面）を生成するよう指示する。表示処理部２０２は、操作受付部２０３からの指示にしたがって、上記したブロックＢ８の処理において受信された防除薬剤の詳細に関する情報に基づいて、防除薬剤詳細画面を生成し、これをＴＶ装置４０に表示させる（ブロックＢ１１）。
【００７９】
具体的には、表示処理部２０２は、防除薬剤の詳細に関する情報により示される防除薬剤Ａの画像と、防除薬剤の詳細に関する情報により示される防除薬剤Ａの有効成分を示すテキストと、防除薬剤の詳細に関する情報により示される防除薬剤Ａの使用方法を示すテキストとを含む防除薬剤詳細画面を生成する。これにより、例えば図２１に示す防除薬剤詳細画面が生成され、ＴＶ装置４０に表示される。なお、図２１では、防除薬剤Ａの画像と、防除薬剤Ａの有効成分を示すテキストと、防除薬剤Ａの使用方法を示すテキストとが防除薬剤詳細画面に含まれている場合を例示したが、この防除薬剤詳細画面には、防除薬剤Ａ詳細データにより示される防除薬剤Ａの使用方法を詳細に示すテキストや画像が更に含まれていてもよい。
【００８０】
図２１に示す防除薬剤詳細画面によれば、ユーザは、病害虫Ａに対して有効な防除薬剤Ａの見た目と、有効成分と、その使用方法とを簡単に把握することができる。これにより、ユーザは、防除薬剤を使用（購入）する前に、例えば有効成分に基づいて、当該防除薬剤を使用したことによる副作用等を把握することができる。以下では、図２１に示す防除薬剤詳細画面上で、購入の項目に対応する番号（ここでは、「０」）のボタンがユーザによって押下された場合の動作について説明する。
【００８１】
クライアントデバイス２０内の操作受付部２０３は、図２１に示す防除薬剤詳細画面上で、購入の項目に対応する番号のボタンがユーザによって押下されたことを検出すると、表示処理部２０２に対して、防除薬剤Ａを購入するための決済画面を生成するように指示する。表示処理部２０２は、操作受付部２０３からの指示にしたがって、上述した表示画面データに基づいて、図２２に示す防除薬剤Ａを購入するための決済画面を生成し、これをＴＶ装置４０に表示させる（ブロックＢ１２）。
【００８２】
ユーザは、図２２に示す決済画面上で、「はい」の項目に対応する番号（ここでは、「１」）のボタンを押下することによって、病害虫Ａに対して有効な防除薬剤Ａを購入することができる。
【００８３】
以上のように、ユーザは、病害虫に関する情報の確認から病害虫に対して有効な防除薬剤の購入までを一連の処理により行うことができる。
【００８４】
以上説明した一実施形態によれば、情報処理システムは、第１のサーバ装置１０内のＤＢにおいて管理されている栽培計画データ及び営農者データに基づいて、営農者自身が栽培している農作物に関する病害虫の詳細に関する情報だけを生成し、当該生成した情報に基づいて病害虫発生予報画面を生成し、これをＴＶ装置４０に表示させる構成を備えている。これにより、営農者は、自身が栽培している農作物についてだけ、病害虫に関する情報を簡単に把握することが可能になる。
【００８５】
また、本実施形態に係る情報処理システムによれば、営農者の操作に応じて、営農者が栽培している農作物だけに関する病害虫発生予報画面から、営農者が営農している都道府県（地域）で栽培されている全農作物に関する病害虫発生予報画面に切り替えることができるので、様々な営農者の嗜好に合わせることが可能である。
【００８６】
更に、本実施形態に係る情報処理システムによれば、防除薬剤ＤＢ６０２に格納されている防除薬剤データに基づき防除薬剤の詳細に関する情報を生成して、防除薬剤の詳細を示す防除薬剤詳細画面をＴＶ装置４０に表示させることができるので、営農者は、防除薬剤の有効成分や使用方法、副作用等を簡単に把握することができる。
【００８７】
また、本実施形態に係る情報処理システムによれば、ＴＶ装置４０に病害虫発生予報画面を表示させる処理から、病害虫発生予報画面により発生すると予報された病害虫に有効な防除薬剤を購入する処理までを一連の処理として実行することができるので、営農者は、自身が栽培している農作物に悪影響を与え得る病害虫に有効な防除薬剤を保持していなかったとしても、当該防除薬剤を簡単に購入することが可能である。
【００８８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【００８９】
１０…第１のサーバ装置、１１…ＣＰＵ、１２…不揮発性メモリ、１３…主メモリ、１４…ＢＩＯＳ−ＲＯＭ、１５…システムコントローラ、１６…無線通信デバイス、１７…ＥＣ、２０…クライアントデバイス、２１…ＣＰＵ、２２…不揮発性メモリ、２３…主メモリ、２４…ＢＩＯＳ−ＲＯＭ、２５…システムコントローラ、２６…グラフィクスコントローラ、２７…ＨＤＭＩ制御回路、２８…無線通信デバイス、２９…ＥＣ、３０…インターネット、４０…ＴＶ装置、５０…第２のサーバ装置、６０…第３のサーバ装置、１０１…通信処理部、１０２…ＤＢ管理部、１０３…栽培計画ＤＢ、１０４…営農者ＤＢ、１０５…病害虫詳細ＤＢ、１０６…防除薬剤詳細ＤＢ、２０１…通信処理部、２０２…表示処理部、２０３…操作受付部、５０１…通信処理部、５０２…病害虫ＤＢ、６０１…通信処理部、６０２…防除薬剤ＤＢ。
【図１】
0006419607.tif 000002
【図２】
0006419607.tif 000003
【図３】
0006419607.tif 000004
【図４】
0006419607.tif 000005
【図５】
0006419607.tif 000006
【図６】
0006419607.tif 000007
【図７】
0006419607.tif 000008
【図８】
0006419607.tif 000009
【図９】
0006419607.tif 000010
【図１０】
0006419607.tif 000011
【図１１】
0006419607.tif 000012
【図１２】
0006419607.tif 000013
【図１３】
0006419607.tif 000014
【図１４】
0006419607.tif 000015
【図１５】
0006419607.tif 000016
【図１６】
0006419607.tif 000017
【図１７】
0006419607.tif 000018
【図１８】
0006419607.tif 000019
【図１９】
0006419607.tif 000020
【図２０】
0006419607.tif 000021
【図２１】
0006419607.tif 000022
【図２２】
0006419607.tif 000023